(57)【要約】【課題】消費電力を確実に低減する。【解決手段】無線給電装置に備えたスイッチ５７により、電子機器Ｍがカバープレート５５上に載置されたときのみ、商用電源側から給電制御部５４に通電がなされ、充電処理が行われるようにした。  また、カバープレート５５上に重量が作用するだけでなく、認証処理が行われた後に、スイッチ５７がＯＮとなるようにするのが好ましい。これにより、電子機器Ｍ以外の物品がカバープレート５５上に載置されても、給電側コイル５２から交番磁界を発せず、物品が加熱されるのを防ぐ。【選択図】図３
2013158115.tif 000002
【特許請求の範囲】
【請求項１】
電子機器に対して非接触給電を行う無線給電装置であって、
外部の電源から電力が供給されることで前記電子機器の受電部に対し非接触給電をなす給電部と、
前記電源と前記給電部との間に設けられ、前記給電部に対向した位置に前記電子機器がセットされるのに応じて、該電子機器から所定方向に予め定められた大きさ以上の力が作用するようにして規定の操作がなされた場合に、前記電源から前記給電部に電力を供給するスイッチと、
を備えることを特徴とする無線給電装置。
【請求項２】
前記スイッチは、前記電子機器がセットされた状態では前記電源と前記給電部とを電気的に接続し、前記電子機器が前記給電部に対向した位置から除去された状態では前記電源と前記給電部との電気的な接続を遮断することを特徴とする請求項１に記載の無線給電装置。
【請求項３】
前記スイッチは、前記電子機器がセットされたときに、前記電子機器の重量によって操作がなされることを特徴とする請求項１または２に記載の無線給電装置。
【請求項４】
前記スイッチは、一方向に沿って進退可能な接触子を有し、
前記電子機器がセットされたときに前記電子機器の外表面によって前記一方向に沿って前記接触子が押圧されることによって、前記規定の操作がなされることを特徴とする請求項３に記載の無線給電装置。
【請求項５】
前記スイッチの規定の操作がなされたことを検出し、前記給電部を介して前記電子機器との間で規定の認証プロセス処理が実行されて前記電子機器の認証がなされたときに、前記給電部に前記電力を供給する給電制御部をさらに備えることを特徴とする請求項１から４のいずれか一項に記載の無線給電装置。
【請求項６】
請求項１から５のいずれか一項に記載の無線給電装置が組み込まれたことを特徴とする什器。
【請求項７】
前記無線給電装置は、前記什器の天板に設けられていることを特徴とする請求項６に記載の什器。
【請求項８】
前記無線給電装置は、前記什器の天板に形成された開口部内に収容されていることを特徴とする請求項７に記載の什器。
【請求項９】
前記スイッチ上に、前記電子機器を載置するカバープレートが設けられ、
前記カバープレートの表面が前記什器の天板の表面と面一または前記表面より下方に位置するよう設けられていることを特徴とする請求項６から８のいずれか一項に記載の什器。
【請求項１０】
前記スイッチ上に、前記電子機器を載置するカバープレートが設けられ、
前記カバープレートの表面が前記什器の天板の表面よりも上方に突出するよう設けられていることを特徴とする請求項６から８のいずれか一項に記載の什器。
【発明の詳細な説明】
【技術分野】
【０００１】
本発明は、無線給電装置、およびそれを備えた什器に関する。
【背景技術】
【０００２】
近年、携帯電話やノートパソコン、デジタルカメラ、携帯ゲーム機等の携帯電子機器（以下、単に電子機器と称する）は広く普及し、業務用及び家庭用として広く使用されるようになってきている。こういった電子機器は、携帯して持ち運ぶことができ、用途に応じて様々な場所で使用できるというメリットがある。
【０００３】
ここで、電子機器は二次電池を備え、該二次電池に電力を供給することにより、該電子機器を充電する構成のものが多い。これら電子機器を充電する際には、該電子機器を什器等の天板の上に載置して、コンセントやＵＳＢ端子に接続された給電プラグを電子機器に設けられたソケットに直接接続することにより、充電することが一般的である。
【０００４】
ところで、上記給電プラグを接続して充電する方法では、什器の上に給電プラグ及びこれに接続された電源コードが引き回されるため、外観上の見栄えが悪く、電源コードが作業上の邪魔になるという問題点があった。また、充電しない場合には、天板上に給電プラグ及び電源コードが配設されて、なおさら体裁の悪さが目立ってしまう。
【０００５】
そこで、昨今では、電子機器に接続又は内蔵された受電側コイルと机の内部又は裏面に設けられた給電コイルとの間で、電磁誘導による非接触給電により該電子機器に対して電源を供給する給電装置を用いる方法が採用されている（下記特許文献１参照）。この場合、給電装置の構成としては、給電コイルを天板の裏面側に埋設する態様となっている。
これにより、給電プラグ及び電源コードが什器の天板上に露出しないため、良好な美観を奏することができるとともに、作業効率が向上するという作用・効果があった。
【先行技術文献】
【特許文献】
【０００６】
【特許文献１】特開２００５−９４８４３号公報
【発明の概要】
【発明が解決しようとする課題】
【０００７】
ところで、上記したような給電装置においては、給電コイルに電力を常時供給しておき、一定周期で通信要求信号を出力している。そして、天板上において給電コイルに対向した位置に電子機器が置かれ、出力した通信要求信号に対して電子機器側からレスポンス信号が帰ってくると、給電コイルからの給電を行う。
しかし、このような構成においては、給電装置においては、一定周期で通信要求信号を出力するために電力（待機電力）を消費している。当然のことながら、消費電力低減は常に求められている。
【０００８】
これ以外に、近接センサにより、電子機器が給電コイルに対応した位置にあるか否かを検出し、電子機器が給電コイルに対応した位置にあると判定されたときには、給電コイルからの給電を行う手法もある。
しかし、この方法においても、近接センサを作動させておくために電力が消費されるため、消費電力低減の余地が十分にある。
【０００９】
そこでなされた本発明の目的は、消費電力を確実に低減することのできる無線給電装置、什器を提供することである。
【課題を解決するための手段】
【００１０】
本発明は、上記課題を解決するため、以下の手段を採用する。
すなわち、本発明は、電子機器に対して非接触給電を行う無線給電装置であって、外部の電源から電力が供給されることで電子機器の受電部に対し非接触給電をなす給電部と、電源と給電部との間に設けられ、給電部に対向した位置に電子機器がセットされるのに応じて、該電子機器から所定方向に予め定められた大きさ以上の力が作用するようにして規定の操作がなされた場合に、電源から給電部に電力を供給するスイッチと、
を備えることを特徴とする。
このような構成によれば、電子機器が給電部に対向した位置にセットされると、スイッチにおいて、電子機器から所定方向に予め定められた大きさ以上の力が作用するようにして規定の操作がなされる。すると、電源から給電部に電力が供給されて、給電部と電子機器の受電部との間で給電がなされる。これによって、電子機器の無線給電を行うことができる。
【００１１】
ここで、スイッチは、いかなる構成でも良いが、電子機器がセットされた状態では電源と給電部とを電気的に接続し、電子機器が給電部に対向した位置から除去された状態では電源と給電部との電気的な接続を遮断するのが好ましい。
このようにして、電子機器が給電部に対向した位置に存在しない場合は、電源と給電部との電気的な接続が遮断されるので、待機時の消費電力を削減することができる。
【００１２】
このようなスイッチは、いかなる形式のものを用いても良いが、電子機器がセットされたときに、電子機器の重量によって操作がなされる、機械的なものとするのが好適である。これにより、スイッチ以降における待機電力の消費をゼロとすることができる。また、電子機器をスイッチ上に載せるだけで良いので、ユーザが充電のために特別な操作等を行う必要が無い。
このスイッチとしては、より具体的には、一方向に沿って進退可能な接触子を有し、電子機器がセットされたときに電子機器の外表面によって一方向に沿って接触子が押圧されることによって、規定の操作がなされるものとするのが好ましい。
【００１３】
また、スイッチに規定の操作がなされ、かつ給電部を介して電子機器との間で規定の認証プロセス処理が実行されて電子機器の認証がなされたときに、給電部に電力を供給する給電制御部をさらに備えるのが好ましい。
これにより、給電部に対向した位置に、電子機器以外の導電性材料からなる物品、例えば導電性を有した金属製の物品等が置かれた場合、所定の認証プロセス処理により認証がなされることがなく、給電を行うことがない。したがって、無駄な電力消費を抑えるとともに、充電対象の電子機器以外の物品が加熱されてしまうのを防ぐことができる。
【００１４】
また、本発明は、上記したような無線給電装置が組み込まれたことを特徴とする什器とすることもできる。
【００１５】
この場合、無線給電装置は、什器のいかなる部位に設けても良いが、什器の天板に設けるのが好ましい。
さらには、無線給電装置は、什器の天板に形成された開口部内に収容するのが好ましい。
【００１６】
また、スイッチ上に、電子機器を載置するカバープレートが設けられ、このカバープレートの表面が什器の天板の表面と面一または表面より下方に位置するよう設けることもできる。これにより、カバープレートよりも大きな物品がカバープレート上に載置されても、スイッチが操作されることがない。
一方、スイッチ上に、電子機器を載置するカバープレートが設けられ、カバープレートの表面が什器の天板の表面よりも上方に突出するよう設けられた構成とすることもできる。この場合、カバープレートよりも大きな電子機器についてもスイッチを操作できるので、その充電を行うことができる。
【発明の効果】
【００１７】
本発明によれば、電子機器が給電部に対向した位置にセットされたときに、電源から給電部に電力が供給され、電子機器の無線給電を行うことができる。
したがって、電子機器が給電部に対向した位置にセットされない状態では、電源から給電部に電力が供給されず、消費電力を抑えることができる。
【図面の簡単な説明】
【００１８】
【図１】本実施形態に係る什器の立面図である。
【図２】本実施形態に係る什器の（ａ）ベース部、（ｂ）天板をそれぞれ示す平面図である。
【図３】什器の天板に組み込まれた給電装置を示す断面図である。
【図４】給電装置の回路構成を示す図である。
【図５】充電対象となる電子機器の回路構成を示す図である。
【図６】本実施形態の変形例に係る給電装置の回路構成を示す図である。
【図７】本実施形態の他の変形例に係る給電装置の回路構成を示す図である。
【図８】本実施形態のさらに他の変形例に係る給電装置の回路構成を示す図である。
【図９】本実施形態のさらに他の変形例に係る給電装置の構成を示す図である。
【図１０】本実施形態のさらに他の変形例に係る給電装置の構成を示す図である。
【図１１】本実施形態のさらに他の変形例であって、独立した給電装置の例を示す図である。
【図１２】本実施形態のさらに他の変形例に係る給電装置の構成を示す図である。
【発明を実施するための形態】
【００１９】
以下、添付図面を参照して、本発明による無線給電装置、什器を実施するための最良の形態を説明する。しかし、本発明はこれらの実施例のみに限定されるものではない。
【００２０】
図１に示すように、本実施形態に係るテーブル（什器）１は、床面Ｆ上に載置されたベース部１１と、該ベース部１１から立設された支持体２１と、該支持体２１の上端に支持された天板３１とを備えている。
【００２１】
図１及び図２（ａ）に示すように、ベース部１１は、支持体２１の下部を中心として放射状に延びる複数の脚杆１２と、該脚杆１２の先端に設けられ床面Ｆに設置された設置部１３とを備える。
【００２２】
支持体２１は、断面視して略円形状の長尺部材であり、その下端がベース部１１の略中央に固定され、上端が天板３１に固定されている。
【００２３】
天板３１は、その表面３１Ａが床面Ｆと平行な平面形状とされ、例えば略円形状に形成されている。ここで、天板３１の表面には、携帯電話やノートパソコン、デジタルカメラ、携帯ゲーム機等の電子機器が載置可能である。
【００２４】
このような天板３１は、電源の供給が可能な無線給電装置５１と、該無線給電装置５１を天板３１の裏面３１Ｂに固定する固定部材７１および補強部材８１とを有している。
【００２５】
図１及び図２（ｂ）に示すように、天板３１の表面３１Ａには、例えば矩形の開口部３１ｃが形成されている。
図１、図３に示すように、無線給電装置５１は、この開口部３１ｃの内方に設けられている。
【００２６】
図３に示すように、無線給電装置５１は、給電側コイル（給電部）５２と、給電表示部５３を有する給電制御部５４と、スイッチ５７と、を有し、これらは図示しない配線やフレキシブルプリント基板等によって電気的に接続されている。
【００２７】
給電制御部５４は、ＡＣアダプタ１１０の電源コード１１１に接続されている。ＡＣアダプタ１１０は、商用電源１００に接続されており、交流（ＡＣ）の電力を直流（ＤＣ）に変換して給電制御部５４に供給する。給電制御部５４では、供給された直流の電力を、所定の電圧かつ所定の周波数に変換して、給電側コイル５２に供給する。給電側コイル５２では、この、供給された電流により磁界を発生する。
【００２８】
給電表示部５３は、給電制御部５４の給電信号に基づいてＬＥＤを点灯させて、非接触給電を行っていることを示す。
【００２９】
スイッチ５７は、商用電源１００側のコンセント１０１と給電制御部５４との間に介在するよう設けられている。
具体的には、図３、図４に示すように、スイッチ５７の入力側は、電源コード１０２およびプラグ１０３を介して商用電源１００のコンセント１０１に接続され、出力側は接続コード１０４およびコンセント１０５を介してＡＣアダプタ１１０に接続されている。
【００３０】
このスイッチ５７は、接触子５７ａが一方向に沿って往復動可能に設けられており、接触子５７ａが外力により押圧されて前記方向に移動することによって、商用電源１００と給電制御部５４（給電側コイル５２）とを電気的に断続する。
さらに、接触子５７ａは、図示しないバネ等により、スイッチ５７の本体から突出する方向に付勢されている。接触子５７ａが突出した状態では、スイッチ５７内のスイッチ回路が開放され、商用電源１００と給電制御部５４との電気的な接続が遮断される。接触子５７ａが押圧されて押し込まれると、スイッチ５７内のスイッチ回路が閉鎖され、商用電源１００と給電制御部５４とが電気的に接続される。
【００３１】
図３に示すように、固定部材７１は、固定側主板部７２と、該固定側主板部７２の外縁を形成する固定側張出部７３とを有している。
なお、固定部材７１は、金属または繊維強化プラスチック等の樹脂で形成されている。
固定側主板部７２は、略矩形をなし、無線給電装置５１、給電制御部５４、スイッチ５７の裏面を支持している。
固定側張出部７３は、固定側主板部７２の外周部から直交する方向に立ち上がる立設部７６と、該立設部７６から固定側主板部７２と平行となるように延在する固定部７７とを有している。
固定部７７は、立設部７６の端部から外周側に延びるよう屈曲して形成され、天板３１の裏面３１Ｂに沿って延在するとともに、それぞれ２箇所の固定用の貫通孔７８が形成されている。該貫通孔７８には、固定部７７の下面から上方に向かってビス７９が挿通され、固定部材７１はこれらビス７９によって天板３１に固定されている。
【００３２】
補強部材９１は、略平面状に形成された補強側主板部９２と、該補強側主板部９２の外縁を形成する補強側張出部９３とを有している。
【００３３】
補強側主板部９２は、略矩形をなし、天板３１の表面３１Ａよりも所定寸法だけ低い位置に配設されている。また、補強側主板部９２には、無線給電装置５１の給電表示部５３に対応する位置に貫通孔である給電表示用開口９４が形成され、無線給電装置５１の給電側コイル５２に対応する位置に貫通孔であるコイル用開口９５が形成され、無線給電装置５１のスイッチ５７の接触子５７ａに対応する位置に貫通孔であるスイッチ用開口９７が形成されている。
【００３４】
補強側張出部９３は、補強側主板部９２の外周部から直交する方向に立ち上がる補強側立設部９８と、該補強側立設部９８の端部から補強側主板部９２と平行となるように延在する補強側固定部９９とを有している。
補強側立設部９８は、補強側主板部９２の外周部から天板３１の裏面３１Ｂまで下方に向かって延在している。
補強側固定部９９は、補強側立設部９８の端部から天板３１の裏面３１Ｂに沿って延在する。補強側固定部９９には複数箇所に固定用の補強側貫通孔９９ａが形成され、この補強側貫通孔９９ａにて、ビス７９により固定部材７１の固定部７７とともに天板３１の裏面３１Ｂに共締めされている。
【００３５】
補強側主板部９２上には、カバープレート５５が設けられている。
カバープレート５５は、天板３１に形成された開口部３１ｃの内側に、その上面５５ａが天板３１の表面３１Ａにほぼ面一となるよう設けられている。カバープレート５５は、その外周部が天板３１の開口部３１ｃとの間にクリアランスを有するよう設けられ、天板３１の表面３１Ａに直交する方向に移動可能とされている。
【００３６】
このカバープレート５５の下面５５ｂに、スイッチ５７の接触子５７ａが、スイッチ用開口９７を通して突き当たっている。通常時、カバープレート５５上に物品が載置されていない状態では、接触子５７ａがバネ等による付勢力により突出してカバープレート５５を押し上げた状態となっている。
また、カバープレート５５は、少なくとも給電表示部５３に対応する位置が、透明または半透明とされて、給電表示部５３を構成するＬＥＤの光を透過して外部から視認可能とされている。
【００３７】
次に、本実施形態に係るテーブル１とともに使用する電子機器Ｍについて説明する。
図５に示すように、電子機器Ｍは、バッテリー８１を有する電子機器本体Ｎと、該電子機器本体Ｎを収容するとともに受電部８２を有する電子機器カバーＯとを備えている。
バッテリー８１は、電力を蓄積する例えばリチウムイオン電池、リチウム水素電池等の二次電池である。
受電部８２は、受電側コイル８３と、整流器８４と、受電制御部８５とを有している。
整流器８４は、受電側コイル８３に電界結合や電磁誘導により生じた電力を整流し、直流電流に変換して受電制御部８５に供給する。ここで、電界結合は、平面電極を対向させて、平面電極どうしの容量結合により電力を供給する方式であり、電磁誘導は、対向させたコイル間で磁界による誘導電流で電力を供給する方式である。
受電制御部８５は、電子機器本体Ｎに接続され、バッテリー８１の電圧、充電時間等の状態を検出するとともに、二次電池に対する電力の供給を制御する。
【００３８】
次に、上記のテーブル１の無線給電装置５１と電子機器Ｍの受電部８２とによる非接触給電について説明する。
まず、無線給電装置５１側において、電源コード５６のプラグを商用電源１００のコンセント１０１に接続しておく。この状態で、スイッチ５７の接触子５７ａは押圧されておらず、商用電源１００と給電制御部５４とが電気的に遮断された状態となっている。
【００３９】
この状態で、天板３１の表面３１Ａに設けられたカバープレート５５に電子機器Ｍを載置する。すると、電子機器Ｍの重量により、カバープレート５５およびスイッチ５７の接触子５７ａが、バネ等の付勢力に抗して押し下げられる。このようにしてスイッチ５７の接触子５７ａが、電子機器Ｍから所定方向に予め定められた大きさ以上の力が作用するようにして押圧操作（規定の操作）され、商用電源１００からの電気を給電制御部５４に通電する。
【００４０】
すると、商用電源１００から給電制御部５４を介して供給される電力により、給電側コイル５２から交番磁界が発生する。この交番磁界に対して、受電側コイル８３で起電力が生じる。このようにして、給電側コイル５２から電子機器Ｍに対して電磁誘導作用により電力が供給される。そして、受電側コイル８３にて生じた電力は、整流器８４にて直流に変換されて受電制御部８５を介してバッテリー８１に供給され、このバッテリー８１の充電が行われる。
【００４１】
なおここで、給電制御部５４では、電子機器Ｍの充電をするに先立ち、電子機器Ｍの認証処理を行うのが好ましい。これには、給電側コイル５２から受電側コイル８３を介して供給した電力により受電制御部８５を作動させる。そして、受電制御部８５が予め定められた処理を行って、規定の信号を受電側コイル８３を介して出力する。給電制御部５４では、給電側コイル５２を介して前記の規定の信号を受信し、その信号が予め登録されたものであるか否かを認証する。このような認証がなされたときのみ、給電制御部５４では、電子機器Ｍに給電を行うようにするのである。この認証処理については、具体的には、周知の適宜手法を用いればよい。
【００４２】
上述したようにして、無線給電装置５１に備えたスイッチ５７により、電子機器Ｍがカバープレート５５上に載置されたときのみ、商用電源１００側から給電制御部５４に通電がなされ、電子機器Ｍの充電処理が行われるようにした。これにより、待機時の消費電力を確実に低減しつつ、必要時に電子機器Ｍの充電を行うことができる。
【００４３】
また、電子機器Ｍの充電を行うには、電子機器Ｍをカバープレート５５上に載置し、無線給電装置５１の給電側コイル５２に対向させるのみでよい。これにより、充電を容易に行うことができル。
【００４４】
さらに、カバープレート５５上に重量が作用してスイッチ５７がＯＮとなったときには、給電制御部５４と電子機器Ｍとの間で所定の認証処理が行われた後に、電子機器Ｍの充電を行うようにした。つまり、電子機器Ｍ以外の物品がカバープレート５５上に載置されても、給電側コイル５２から充電のための交番磁界を発しない。したがって、電子機器Ｍ以外の物品を間違えてカバープレート５５上に載せてしまった場合に、無用な電力が消費されるのを防ぐとともに、交番磁界が物品に加えられて物品が加熱されるのを防ぐことができる。
【００４５】
また、無線給電装置５１は、テーブル１の天板３１に形成された開口部３１ｃ内に収容されている。これにより、無線給電装置５１を簡易な構造でテーブル１に組み込むことができる。
【００４６】
（その他の実施形態）
なお、本発明は、図面を参照して説明した上述の実施形態に限定されるものではなく、その技術的範囲において様々な変形例が考えられる。
例えば、上記実施形態では、ＡＣアダプタ１１０よりも上流側（商用電源１００側）に別途スイッチ５７を設けるようにしたが、これを、図６に示すように、ＡＣアダプタ１１０のコード１１０ａ上にスイッチ５７を設ける構成としても良い。
【００４７】
さらには、図７に示すように、ＡＣアダプタ１１０と給電制御部５４との間にスイッチ５７を設けるようにしても良い。ただしこの場合は、ＡＣアダプタ１１０においては待機時も電力が消費される。
【００４８】
加えて、図８に示すように、スイッチ５７に並列に自己保持リレー１２０を設け、無線給電装置５１内に、自己保持リレー１２０の駆動回路１２１を備えるようにしても良い。駆動回路１２１は、給電制御部５４から給電側コイル５２に電力が供給されると、タイマーによって定められた一定時間の間、自己保持リレー１２０を駆動して商用電源１００と給電制御部５４とを電気的に接続した状態を維持する。これにより、カバープレート５５上の電子機器Ｍが動かされて短時間の間だけスイッチ５７がオフとなった場合等であっても、自己保持リレー１２０により給電が維持される時間内であれば、ＯＮ／ＯＦＦが断続的に切り替わることなく、給電を連続して行うことができる。
【００４９】
なお、上記実施形態では、無線給電装置５１の構成を示したが、これはあくまでも例示に過ぎず、無線給電装置５１の構成についてはいかなるものとしても良い。
例えば、カバープレート５５の上面５５ａは、天板３１の表面３１Ａと略面一に設けるようにしたが、天板３１の表面３１Ａよりも下方に位置するよう設けても良いし、表面３１Ａよりも突出して位置するよう設けても良い。
図９に示すように、カバープレート５５の上面５５ａを天板３１の表面３１Ａと略面一または表面３１Ａよりも下方に位置させた場合、カバープレート５５の大きさ以下の電子機器Ｍが載置されたときのみカバープレート５５が押し下げられ（図９（ａ）参照。）、カバープレート５５の大きさ以上の他の物品２００が載置されても、カバープレート５５が押し下げられることなく（図９（ｂ）参照。）、スイッチ５７が誤操作されるのを防ぐことができる。
また、図１０に示すように、カバープレート５５の上面５５ａを天板３１の表面３１Ａよりも突出して位置するよう設けた場合、電子機器Ｍがカバープレート５５以上の大きさであった場合にも、スイッチ５７を操作して充電を行うことができる。
【００５０】
さらには、図１１に示すように、上記したような無線給電装置５１の構成を、筐体５８内に収容して単独の無線給電装置５１Ｂとして構成することもできる。この場合、筐体５８の上部筐体５８Ａと下部筐体５８Ｂとが互いに接近・離間可能な構成とし、この上部筐体５８Ａ、下部筐体５８Ｂの間にスイッチ５７を設けるようにしても良い。スイッチ５７の接触子５７は、上部筐体５８Ａの内周面に突き当たり、通常時、上部筐体５８Ａ上に物品が載置されていない状態では、接触子５７ａがバネ等による付勢力により突出して上部筐体５８Ａを押し上げた状態となっている。
このような構成によれば、上部筐体５８Ａ上に電子機器Ｍを載置すると、その重量により、スイッチ５７のバネに抗して上部筐体５８Ａが下降して下部筐体５８Ｂに対して相対的に接近し、これによってスイッチ５７が切り替わるようにすることができる。
【００５１】
このような単独の無線給電装置５１Ｂにおいても、上記実施形態と同様の効果を得ることができる。
【００５２】
また、上記実施形態では、スイッチ５７が電子機器Ｍの重量によって押圧操作され、これによって商用電源１００側から給電制御部５４に通電がなされ、電子機器Ｍの充電処理が行われるようにしたが、図１２（ａ）に示すように、電子機器Ｍを天板３１に形成された収容凹部３５の底部３５ａに、天板３１の表面３１Ａに沿った方向に進退可能なスイッチ５７Ｂの接触子５７ｄを備えるようにしても良い。そして、接触子５７ｄの上部先端部に傾斜面５７ｆを形成しておく。
このような構成によれば、図１２（ｂ）に示すように、天板３１の表面３１Ａに直交する方向から収容凹部３５に電子機器Ｍを収め、電子機器Ｍを底部３５ａに向けて押し込むと、電子機器Ｍが傾斜面５７ｆに突き当たり、これによって接触子５７ｄが天板３１の表面３１Ａに沿った方向に押し込まれる。これによりスイッチ５７Ｂが押圧操作されて、給電がなされるようにすることもできる。
【００５３】
加えて、スイッチ５７の作動を不使用時にはロックするロック機構等を備えても良い。このロック機構の解除に鍵等を用いれば、予め定められたユーザのみが電子機器Ｍの充電を行えるようになる。
【００５４】
さらに、上記実施形態で示したテーブル１は無線給電装置５１を備える什器の一例に過ぎず、いかなる形状、構造であっても良いし、また、テーブル１以外の、カウンターやデスク等、他の様々な什器に本発明を適用可能である。
これ以外にも、本発明の主旨を逸脱しない限り、上記実施の形態で挙げた構成を取捨選択したり、他の構成に適宜変更することが可能である。
【符号の説明】
【００５５】
１    テーブル（什器）
１１  ベース部
１２  脚杆
１３  設置部
２１  支持体
３１  天板
３１Ａ      表面
３１Ｂ      裏面
３１ｃ      開口部
５１、５１Ｂ       無線給電装置
５２  給電側コイル（給電部）
５３  給電表示部
５４  給電制御部
５５  カバープレート
５６  電源コード
５７、５７Ｂ       スイッチ
５７ａ、５７ｄ     接触子
７１  固定部材
７２  固定側主板部
７３  固定側張出部
７６  立設部
７７  固定部
７８  貫通孔
７９  ビス
８１  補強部材
８１  バッテリー
８２  受電部
８３  受電側コイル
８４  整流器
８５  受電制御部
９１  補強部材
９２  補強側主板部
９３  補強側張出部
９４  給電用開口
９５  コイル用開口
９７  スイッチ用開口
９８  補強側立設部
９９  補強側固定部
１００      商用電源
１０１      コンセント
１０２      電源コード
１０３      プラグ
１０４      接続コード
１０５      コンセント
１１０      ＡＣアダプタ
１１１      電源コード
１２０      自己保持リレー
１２１      駆動回路
Ｆ    床面
Ｍ    電子機器
Ｎ    電子機器本体
Ｏ    電子機器カバー
【図１】
2013158115.tif 000003
【図２】
2013158115.tif 000004
【図３】
2013158115.tif 000005
【図４】
2013158115.tif 000006
【図５】
2013158115.tif 000007
【図６】
2013158115.tif 000008
【図７】
2013158115.tif 000009
【図８】
2013158115.tif 000010
【図９】
2013158115.tif 000011
【図１０】
2013158115.tif 000012
【図１１】
2013158115.tif 000013
【図１２】
2013158115.tif 000014